(57)【特許請求の範囲】
【請求項１】
複数の二次局へメッセージをダウン−リンクで送信する一次局を具えているメッセージ送信システムを作動させる方法において、前記一次局が前記二次局に、これら二次局の応答をアップ−リンクで送信することを勧誘し、前記一次局が前記アップ−リンクから受信される前記応答を分析し、且つこれらの応答のうちの首尾良く分析された応答の受信に肯定応答し、前記一次局が前記首尾良く分析された応答がどのメッセージに応答したものかを確かめ、応答が肯定応答されなかった二次局に、これら二次局の応答をアップ−リンクで送信／再送信させるべき送信勧誘を繰り返すことを特徴とするメッセージ送信システム作動方法。
【請求項２】
前記送信勧誘、分析及び肯定応答サイクルを予定回数繰り返すことを特徴とする請求項１に記載の方法。
【請求項３】
前記送信勧誘、分析及び肯定応答サイクルを、分析し得る応答がすべて分析されたと思われるまで繰り返すことを特徴とする請求項１に記載の方法。
【請求項４】
前記アップ−リンクでの応答が、ほぼ同時に送信されるＣＤＭＡ信号を含むことを特徴とする請求項１に記載の方法。
【請求項５】
強めの応答信号を分析するのに割当てられる時間が弱めの応答信号を分析するのに割当てられる時間よりも短くなるようにすることを特徴とする請求項１に記載の方法。
【請求項６】
前記送信勧誘に応答するのに割当てられる時間が、予想される応答数に従って適合させられていることを特徴とする請求項１に記載の方法。
【請求項７】
前記一次局が送信勧誘を繰り返すと共に、これに対して首尾良く分析された応答に肯定応答することを特徴とする請求項１に記載の方法。
【請求項８】
前記一次局が或る順序付けたシーケンスでメッセージを送信し、且つ前記繰り返される送信勧誘信号が前記メッセージのシーケンスに対応して順序付けたシーケンスで割当てられるスロットから成るフィールドを含み、前記スロットが、首尾良く分析されない応答信号と首尾良く分析される応答信号を識別するように適用されることを特徴とする請求項７に記載の方法。
【請求項９】
前記二次局の集団を少なくとも２つのグループに分け、これらのグループの一方へのメッセージの送信を、応答信号の分析と、前記少なくとも２つのグループのうちの他方のグループによる肯定応答の送信とでインタリーブさせることを特徴とする請求項１に記載の方法。
【請求項１０】
少なくとも１つの一次局と、複数の二次局とを具えているメッセージ送信システムにおいて、前記一次局が前記二次局へダウン−リンクで送るべきメッセージをコンパイルする手段と、前記二次局に前記メッセージに対する応答をアップ−リンクで送信することを勧誘する信号をダウン−リンクで送信する手段と、前記応答を受信すると共に分析する手段と、首尾良く分析された応答の受信を肯定応答する手段と、送信したメッセージのうちのどのメッセージに二次局が応答したのかを確かめると共に応答が肯定応答されなかった二次局へ、これら二次局の応答を送信／再送信させるべく送信勧誘を繰り返す手段とを有し、且つ前記二次局の各々がダウン−リンクでの送信を受信する手段と、前記メッセージのうちのどのメッセージが、該二次局へアドレスされるのかを確かめる手段と、ダウン−リンクからの送信勧誘メッセージを受信する手段と、二次局にアドレスされたメッセージに対する応答をアップ−リンクで送信する手段と、該応答についての肯定応答を受取らなかったら、応答することが勧誘されている場合に、その応答の送信を繰り返す手段とを有していることを特徴とするメッセージ送信システム。
【請求項１１】
前記二次局が応答をＣＤＭＡ信号として送信する手段を有し、且つ前記一次局がＣＤＭＡ応答を復号する手段を有していることを特徴とする請求項１０に記載のシステム。
【請求項１２】
前記一次局が、前記送信勧誘に割当てられる時間長を、予想される応答数に従って、適合させる手段を有していることを特徴とする請求項１０に記載のシステム。
【請求項１３】
前記二次局の集団が少なくとも２つのグループに分けられ、且つ前記一次局が、前記グループのうちの一方からアップ−リンクで受信した応答の分析を、前記グループのうちの他方のグループへのダウン−リンクでのメッセージの送信とインタリーブさせる手段を具えていることを特徴とする請求項１０に記載のシステム。
【請求項１４】
メッセージがダウン−リンクで複数の二次局へ送信され、二次局が応答をアップ−リンクで送信し得るメッセージ送信システム用の一次局において、前記一次局が前記二次局へダウン−リンクで送るべきメッセージをコンパイルする手段と、前記二次局に前記メッセージに対する応答をアップ−リンクで送信することを勧誘する信号をダウン−リンクで送信する手段と、前記応答を受信すると共に分析する手段と、首尾良く分析された応答の受信を肯定応答する手段と、送信したメッセージのうちのどのメッセージに二次局が応答したのかを確かめると共に応答が肯定応答されなかった二次局へ、これら二次局の応答を送信／再送信させるべく送信勧誘を繰り返す手段とを具えていることを特徴とするメッセージ送信システム用の一次局。
【請求項１５】
メッセージがダウン−リンクで複数の二次局へ送信され、二次局が応答をアップ−リンクで送信し得るメッセージ送信システム用の二次局において、前記各二次局がダウン−リンクでの送信信号を受信する手段と、前記メッセージのうちのどのメッセージが該二次局へアドレスされるのかを確かめる手段と、ダウン−リンクからのメッセージに返信させる送信勧誘を受信する手段と、メッセージに対する応答をアップ−リンクで送信する手段と、該応答についての肯定応答を受取らないことに反応して、応答することが勧誘されている場合に、その応答の送信を繰り返す手段とを具えていることを特徴とするメッセージ送信システム用の二次局。
【請求項１６】
前記応答を送信する手段が該応答をＣＤＭＡ信号として送信することを特徴とする請求項１５に記載の二次局。
【発明の詳細な説明】
技術分野
本発明はメッセージを送信する方法及びシステムに関し、且つこのシステムに用いる一次局及び二次局にも関するものである。このようなシステムの例にアンサバックページングシステムがあり、便宜上このアンサバックページングシステムを参照するが、本発明の教えは他の双方向メッセージ通信システムにも適用することができる旨理解すべきである。
背景技術
アンサバックページングシステムは、例えばＰＣＴの特許明細書ＷＯ９６／１４７１６に開示されている。基本形態の斯種のシステムはメッセージを或る予定した受信人へ送信するためのページングネットワークコントローラ（ＰＮＣ）を必要とする。受信人は呼受信時にページャ内に組込まれている低電力送信機によって簡単な返信を送信することができる。上述した特許明細書には、一連のメッセージをそれぞれの受信人へ送信し、そしてＰＮＣが受信人用の送信勧誘信号を送信して、彼等の返信をＰＮＣにて元に戻せるスペクトル拡散信号としてほぼ同時に送信させ、これらの返信をそれを必要とする各相手へ転送するシステムが開示されている。返信がＰＮＣによって比較可能な電力レベルで受信されるようにするためにページャに電力制御技法を適用しなくて済ますために、ＰＣＮはその送信勧誘信号を段歩状に増加（又は減少する）電力レベルで送信し、こうした送信勧誘信号のうちの１つを受信し得るページャだけがそれらの返信を送信する。
この既知の方法の要点は、受信される信号の電力レベルの比較的厳格な制御を必要とすることにある。
発明の開示
本発明の目的はアンサバックメッセージ通信システムの運用の融通性を高めることにある。
本発明の第１の態様によれば、ダウン−リンクで送信をする少なくとも１つの一次局と、アップ−リンクで送信する複数の二次局とを具えているメッセージ送信システムを作動させる方法において、ダウン−リンクで制御信号を送信する前記一次局が、アップ−リンク送信をすることを望んでいる二次局を勧誘して、この勧誘に応答することを望んでいる二次局に、これら二次局のアップ−リンク送信を行なわせ、前記一次局が前記二次局からの少なくとも幾つかのアップ−リンク送信を受信し、且つ理解できる受信したこれらの送信を分析すると共に分析した理解できる送信がある場合に、これらのうちのどれが、以前にダウン−リンクで送ったメッセージに対応する応答を含んでいるかを確かめて、少なくともこれらの応答に肯定応答し、且つダウン−リンクで前記制御信号の送信を繰り返すことを特徴とする。
アップ−リングでの送信にはダウン−リンクで送られるメッセージ及び／又は或るサービスの要求に対する応答を含めることができる。こうした送信信号はほぼ同時に送信されるＣＤＭＡ信号の形態のものとすることができる。
本発明の第２の態様によれば、複数の二次局へメッセージをダウン−リンクで送信する一次局を具えているメッセージ送信システムを作動させる方法において、前記一次局が前記二次局に、これら二次局の応答をアップ−リンクで送信することを勧誘し、前記一次局が前記アップ−リンクから受信される前記応答を分析し、且つこれらの応答のうちの首尾良く分析された応答の受信に肯定応答し、前記一次局が前記首尾良く分析された応答がどのメッセージに応答したものかを確かめ、応答が肯定応答されなかった二次局に、これら二次局の応答をアップ−リンクで送信／再送信させるべき送信勧誘を繰り返すことを特徴とする。
本発明の第３の態様によれば、少なくとも１つの一次局と、複数の二次局とを具えているメッセージ送信システムにおいて、前記一次局が前記二次局へダウン−リンクで送るべきメッセージをコンパイルする手段と、前記二次局に前記メッセージに対する応答をアップ−リンクで送信することを勧誘する信号をダウン−リンクで送信する手段と、前記応答を受信すると共に分析する手段と、首尾良く分析された応答の受信を肯定応答する手段と、送信したメッセージのうちのどのメッセージに二次局が応答したのかを確かめると共に応答が肯定応答されなかった二次局へ、これら二次局の応答を送信／再送信させるべく送信勧誘を繰り返す手段とを有し、且つ前記二次局の各々がダウン−リンクでの送信を受信する手段と、前記メッセージのうちのどのメッセージが、該二次局へアドレスされるのかを確かめる手段と、ダウン−リンクからの送信勧誘メッセージを受信する手段と、二次局にアドレスされたメッセージに対する応答をアップ−リンクで送信する手段と、該応答についての肯定応答を受取らなかったら、応答することが勧誘されている場合に、その応答の送信を繰り返す手段とを有していることを特徴とする。
本発明によるメッセージを送信する方法及びシステムによれば、応答を分析し、確認応答し、且つ肯定応答を受取っていない二次局に、これら二次局の応答又は他のアップ−リンク送信信号を送るか又は再送信すべく再度送信勧誘するサイクルが、既知のシステムに比べて応答の処理速度を増進し、従って基本的な設備機器の量を増やす必要なくシステムの容量が増大することを確かめた。
二次局は、それらの応答又は他のアップ−リンク送信信号をＣＤＭＡ信号としてほぼ同時に送信することができ、この場合、強めの応答信号は弱めの信号をマスクすることになる。このことは近−遠問題として既知である。本発明による方法では、アップ−リンクでの強めの応答信号を先ず検出し、且つ肯定応答してから、応答又は他のアップ−リンク送信信号が強めの応答信号によってマスクされてしまった二次局に、これら二次局の応答信号又は他のアップ−リンク送信信号を送るか、又は再送信すべく送信勧誘する。応答又は他のアップ−リンク送信信号を分析し、成功応答又は他のアップ−リンク送信信号に肯定応答し、且つ他の送信勧誘又は制御信号を送信するサイクルを数回繰り返した後には、応答又は他のアップ−リンク送信信号が極めて高い割合で処理されていることを確かめた。処理されない応答信号等は一般に弱過ぎて処理できないか、又は二次局がスイッチ・オフされているか、受信範囲外にあるかのいずれかである。
上述したサイクルに割当てられる時間は、短い時間が比較的少数の強い応答又は強い他のアップ−リンク送信信号を処理するのに割当られ、長めの時間が比較的多数の弱い応答又は弱いアップ−リンク送信信号を処理するのに割当てられるようにして可変とすることができ、所要に応じこのような時間の割当ては、応答又は他のアップ−リンク信号信号の数に適合させることができる。このようにすれば、応答又は他のアップ−リンク送信信号を各々バッチ処理するのに持続時間が一定の間隔を割当てる場合に比べて処理時間が節約されることになる。
肯定応答信号及び送信勧誘信号は同時に送信することができる。これを行なう１つの方法は、一次局には或る順序付けしたシーケンスでメッセージを送信させ、次に後続する送信勧誘メッセージには、そのメッセージのシーケンスに対応して順序付けしたシーケンスで割当てられるエレメント（即ち、スロット）から成るフィールドを含ませて、首尾良く分析される応答と首尾良く分析されない応答とを、例えば２進数の“０”を、（首尾良く分析される場合の）“１”に変えることにより識別するのに前記エレメントを用いるようにして行なう。
メッセージのスループットを増進させるために、二次局の集団を少なくとも２つのグループに分けて、一方のグループからの応答又は他のアップ−リンク送信信号を分析している間に、他の遊休送信機が他のグループへメッセージを送信し得るようにするか、その逆も同様に行なうことができる。二次局の集団の分割は奇数又は偶数番のアドレスか、又は信号強度（ＲＳＳ１）に基づいて行なうことができる。
本発明の第４の態様によれば、メッセージがダウン−リンクで複数の二次局へ送信され、二次局が応答をアップ−リンクで送信し得るメッセージ送信システム用の一次局において、前記一次局が前記二次局へダウン−リンクで送るべきメッセージをコンパイルする手段と、前記二次局に前記メッセージに対する応答をアップ−リンクで送信することを勧誘する信号をダウン−リンクで送信する手段と、前記応答を受信すると共に分析する手段と、首尾良く分析された応答の受信を肯定応答する手段と、送信したメッセージのうちのどのメッセージに二次局が応答したのかを確かめると共に応答が肯定応答されなかった二次局へ、これら二次局の応答を送信／再送信させるべく送信勧誘を繰り返す手段とを具えていることを特徴とする。
本発明の第５の態様によれば、メッセージがダウン−リンクで複数の二次局へ送信され、二次局が応答をアップ−リンクで送信し得るメッセージ送信システム用の二次局において、前記各二次局がダウン−リンクでの送信信号を受信する手段と、前記メッセージのうちのどのメッセージが該二次局へアドレスされるのかを確かめる手段と、ダウン−リンクからのメッセージに返信させる送信勧誘を受信する手段と、メッセージに対する応答をアップ−リンクで送信する手段と、該応答についての肯定応答を受取らないことに反応して、応答することが勧誘されている場合に、その応答の送信を繰り返す手段とを具えていることを特徴とする。
発明の実施の形態
本発明を添付図面を参照して実施例につき説明する。なお、図面中対応するものには同じ参照番号を用いている。
図１を参照するに、このメッセージ送信システムはパーソナルコンピュータ（ＰＣ）を装備したオペレータからか、又はＰＣ及びモデムを有している加入者から直接ページャアドレス及び関連するメッセージを受信するメッセージエントリポート１２を有しているページングネットワークコントローラ（ＰＮＣ）１０を具えている。このＰＮＣ１０はページャ受信機識別コード（ＲＩＣ）、ページ化すべき領域、周波数、ページャの形式、優先プロトコル、例えばＰＯＣＳＡＧ（又はＣＣＩＲラジオページングコードＮｏ１）や、ＥＲＭＥＳ及びページャの状態の如き情報を含んでいるディレクトリを具えており、このＰＮＣ１０はメッセージ及びこれらのメッセージに関連するＲＩＣを他の該当する情報と一緒にデータパケットに組立てて、これらのデータパケットをページング領域コントローラ（ＰＡＣ）１４へと転送し、このＰＡＣ１４にてＲＩＣ及び関連するメッセージを或るフォーマットに書式化し、これを基地局送信機（又は基地局トランシーバの送信機段）１６によりダウン−リンクによって片方向及び双方向ページャ１８，２０へとそれぞれ送信することができる。
双方向ページャ２０が、そのＲＩＣを有しているメッセージが送信されていることを識別する場合に、このページャはそのメッセージを受信して、それを復号する。この場合に、ユーザが短い応答を送りたい場合には、そのユーザがページャと一体のキーパッドによって予じめ記憶済みの応答を選択し、しかもその応答をＰＡＣ１４が勧誘している場合に、ページャはアップ−リンクによりその応答を送信する。応答信号はＣＤＭＡ信号としてか、又はタイムスロットの或るフレームで同時に送ることができ、１つのタイムスロットは或る応答にだけ用いることができる。
応答を受信し、且つこれらの応答をＰＡＣ１４へ中継するために１個以上の受信機（又はトランシーバの受信機段）２２を設け、ＰＡＣ１４では応答信号がＣＤＭＡ信号の場合には復号化するか、又は多重分離して、データパケットとしてＰＮＣ１０へと送るようにする。ＰＮＣ１０は応答信号を分析すると共にこれらの応答をダウン−リンクで伝送されたメッセージと突き合わせる手段を具えている。
こうした突き合わされる応答は、例えばＥメール又は送信によるような任意の適当な形態でそれぞれのユーザへと中継される。応答はページングネットワークにより作動させるメッセージアンサリングサービスに送られることもある。いずれの場合も、肯定応答がそれぞれの双方向ページャ２０へと送られる。しかし、例えば時分割多重装置では２つ以上の応答が衝突し、しかも応答がわかりにくかったりするために、必ずしも全ての応答がメッセージと整合するとは限らず、ＣＤＭＡシステムでは、近−遠効果により強い応答が弱い応答を抑えてしまう。ＰＮＣ１０が、ダウン−リンクで送信したメッセージの小部分に対する応答しか受信しなかった旨を確かめた場合、このＰＮＣ１０はメッセージに応答しなかったか、又は肯定応答を受取らなかったページャへ一般的な送信勧誘を発して、これらページャの応答をアップ−リンクで送信又は再送信させる。こうして新たに受信した応答は分析され、メッセージとの突き合わせが行なわれ、肯定応答が送信される。成功した応答の総数がまだ統計的に決めたしきい値レベル以下であることがわかった場合には、別の送信勧誘信号をダウン−リンクで送信することにより上述したようなサイクルを繰り返すようにする。このプロセスは或る予定したサイクル数を経過するまでか、または成功応答の総数が前記しきい値を越えるまで繰り返され、こうして一連のメッセージに対してそれ以上は理解できる応答がもはや得られなくなることは明らかである。
ほぼ同時に送信されるＣＤＭＡ応答信号の場合には常に応答が一括して受信され、このうちの首尾よく分析される応答は一般に受信機２２のアンテナで最大の電力レベルを有しているものである。従って、こうした応答を応答信号のプールから除去するようにして、次の勧誘信号を弱いソース、即ち遠く離れたページャに応答させるようにすると、こうしたページャからの応答が復号され、且つ突き合わされるようになる。
ＴＤＭＡタイプの応答システムにてメッセージ送信システムを動作させる１つの方法を図２につき説明するに当たり、そのプロトコルは信号チャネルが時間ドメインで一連のバッチＢに分けられるバッチ構造を有しているものとする。各バッチは同期コードワードＳで始まり、しかも複数の連結フレームＦを有している。バッチＢ（Ｔｘ）のうちの１つはＰＯＣＳＡＧの如き既知のページングプロトコルに従ってページングメッセージＭ１〜Ｍ８をダウン−リンクで送信するのに専用に用いられる。
バッチにおける最後のコードワードは、アドレス指定されるページャに彼等の応答を次の後続するバッチＢ（ＲX）の対応するフレームで送信させる送信勧誘である。応答が受信されると、これらは分析され、且つ発信メッセージとの突き合わせが行なわれる。一旦照合したら、肯定応答ＡＣＫをページャへダウン−リンクで送信する。分析が完了すると、ＰＮＣ１０はすべてのメッセージに対する応答を受取ったかどうかを確かめ、そうでない場合には別の勧誘信号をダウン−リンクで送信し、この動作サイクルを１回以上繰り返すようにする。
図３は、応答が勧誘信号に応答してダウン−リンクで同時に送信されるＣＤＭＡ信号を含むシステムの例を示す。図３では、メッセージ（図示せず）が既にダウン−リンクで送信されている。最初の送信勧誘信号ＩＮＶ１はダウン−リンクで送信される。ページャにアドレス指定された或るメッセージを検出したページャは、或る決められたタイムスロットＲＥＳ１内でコードシーケンスを送信することにより送信勧誘信号ＩＮＶ１に応答する。タイムスロットＲＥＳ１の満期後に探索ルーチンＳＣＨが開始する。この探索ルーチンでは、ＰＮＣ１０（図１）に格納されているコードを応答コードのシーケンスと順次比較し、メッセージのうちの特定のものに対する応答を１つづつ識別する。しかし、遠／近問題があるために、最強の応答信号だけを検出し、これらの応答信号は、肯定応答信号をダウン−リンクで送信して次の探索プロセスからは除外し、首尾よく応答したこれら最強応答信号のページャに次の勧誘信号ＩＮＶ２及びＩＮＶ３には逐次応答しないように知らせる。
実際のシステムでは、大多数のページャ２０（図１）が受信機２２のアンテナから幾分離れていると想定され、アンテナでの受信電力が低くなる。従って、タイムスロットＲＥＳ１，ＲＥＳ２及びＲＥＳ３の持続時間を図示のように等しくすることができるが、予想される応答数は、例えば比較的高出力の応答は少なく、比較的低出力の応答の方が多いことからして、可変のスロット長を割当てるのが好適である。短いタイムスロットは最初に割当てて、低い雑音及び妨害信号と競う少なめの強力な応答を有効に除去し得るようにする。そして、長めのタイムスロットを有意レベルの雑音及び妨害信号と競う弱い受信応答に適合すべく割当てるようにする。
所要に応じ、ページャ２０の送信機には、これらページャの応答信号の強度を変えて、送信勧誘／応答サイクルの数を減らすために電力制御装置を持たせることができる。
図３につき上述した例をさらに精巧にした図４に示す例では、ページャの集団を２つのグループに分け、且つ一方のグループＧｐ１に対するダウン−リンクでのメッセージ及び送信勧誘信号の送信を他方のグループＧｐ２からアップ−リンクで送られる応答を分析することとインタリーブさせる。
ページャ集団を分ける１つの方法は奇数番のページャを一方のグループ、例えばＧｐ１に割当て、偶数番のページャを第２グループ、例えばＧｐ２に割当てるやり方である。他の方法は、受信したダウン−リンクの信号の強度（ＲＳＳ１）をページャに測定させ、且つ或るプリセットしきい値を用いることにより、例えば２つのグループのうちのどちらのグループにページャが属するかを決めるやり方である。
送信勧誘メッセージを送り、又は同時に応答が首尾良く分析されたページャにその旨を知らせる１つの方法は、メッセージＭ１〜Ｍ１４を図５Ａに示したような順序付けたシーケンスで送り、且つ送信勧誘信号には図５Ｂに示すように、前記メッセージに１対１で対応する数のタイムスロットを有するフィールドを設け、従ってスロット３はメッセージＭ３に対応するようにするやり方である。最初の送信勧誘信号１ＮＶ１を送信すると、例えばフィールドＦＤにおけるすべてのビットは応答が受信されなかったことを示す０となる。しかし、最初の分析ラウンドの後には、例えばメッセージＭ１，Ｍ３，Ｍ４，Ｍ９，Ｍ１１及びＭ１２がアドレスされたページャに、フィールドＦＤのスロット１，３，４，９，１１及び１２におけるビットを“０”から“１”に変えることにより肯定応答が送信される。他のビッドはメッセージがさらに肯定応答されるにつれて変えられる。
送信勧誘信号を送信するサイクル数は一定とすることができる。しかし、首尾良く復号化される応答数が或る統計的に決めたしきい値以上となることが確かめられる場合には、さらなるサイクルの繰り返しは停止させる。
図６はＰＡＣ１４に結合されるＰＮＣ１０と基地局の送信機１６及び受信機２２とのブロック図を示す。エントリポート１２はマイクロコントローラ２４に結合され、このマイクロコントローラにはＲＩＣ、ページング領域、周波数、ページャの形式、優先プロトコル及びページャの状態にそれぞれ関連するディレクトリ２６〜３６が接続されている。マイクロコントローラ２４にはメッセージストア３８も結合されており、このメッセージストアはメッセージがエントリポート１２にて受信されると、これらのメッセージを格納する。ストア３８はそれぞれのメッセージに対する応答が受信されて、肯定応答された旨を確認する指標を格納する領域４０を有している。マイクロコンピュータ２４からの出力４２は送信機１６によって送信する前に、書式化すべきデータパケットを供給するＰＡＣ１４に結合されている。
受信機２２によって受信された応答はＰＡＣ１４を介して信号分析器４４へと中断される。これにて各応答が首尾良く分析されると、この応答はストア３８に格納されているメッセージと突き合わせるためにマイクロコントローラ２４へと転送される。突き合わせの結果一致したら、マイクロコントローラは次の送信勧誘信号をダウン−リンクで送る際に肯定応答を送信するようにする。適当な瞬時に応答受信者は、例えばＥメール又は片方向ページングメッセージによって知らされるか、応答が各ページャ番号と一緒に格納されて、加入者が都合のよい時にストアに問い合わせることができるようにする。マイクロコントローラ２４が一旦すべての実際の目的に対してすべての応答を受取ったと判断したら、マイクロコントローラはエントリポート１２からのさらなるメッセージの受信に備えてメッセージストア３８におけるメッセージを消去する。ストア３８は２半部で構成し、その一方の半部がダウン−リンクで既に送ったメッセージについての肯定応答を処理し、他方の半部がこれから送るメッセージを格納するようにするのが好適である。
図７はメッセージを送信し、応答を受取り、その応答に肯定応答する動作シーケンスを示すフローチャートである。ブロック５０はスタートを示す。ブロック５２は一連のメッセージの送信に関係し、これに後続するブロック５４では送信勧誘信号を送信する。ブロック５６はＣＤＭＡ応答の受信に関するものであり、これらの応答はブロック５８にて分析され、且つこれらの応答に関連するメッセージと突き合わされる。ブロック６０は肯定応答の送信に関するものである。ブロック６２では成功応答数が（できるだけ多くの応答が受信されたことを示す）或るしきい値以上となるかどうかを確かめるチェックをする。ここでのチェックの答えがノー（Ｎ）である場合には、フローチャートがブロック６４へと進み、ここでは送信勧誘回数が予定した最大値を越えたかどうかのチェックをする。ここでのチェックの答えがノー（Ｎ）である場合には、フローチャートはブロック５４へと戻る。ブロック６２及び６４からの答えがイエス（Ｙ）である場合には、フローチャートをブロック５２へと戻し、サイクルを繰り返す。
図８を参照するに、ページャ２０はデコーダ７０に接続される受信機６８を備えており、デコーダ７０は制御プロセッサ７２に接続されている。プロセッサ７２は読取り専用メモリ７４に格納されているプログラムに従って作動する。プロセッサ７２はこのページャの独自のアドレスを包含しているアドレスストア（図示せず）も具えている。ページャがメッセージを受信する場合に、このメッセージはランダムアクセスメモリ７６に格納される。こうしたメッセージは後にＬＣＤパネル８０上に表示させることができ、このパネルは制御プロセッサ７２に結合させた関連する駆動部７８を有している。制御プロセッサ７２には音響トランスジューサ８２、発光トランスジューサ８４及びバイブレータ８６で構成し得る通報装置も結合されている。キーパッド８８はマンマシンインタフェースを成し、これによりユーザはプロセッサに様々な機能を実行させ、例えばパネル８０上に記録済みのメッセージを表示させるように命令することができる。送信機９０はプロセッサ７２の出力端子とアンテナ９２とに結合されている。ページングプロトコルの規定に従ってバッテリの節約を実践するために、プロセッサ７２と受信機６８との間には受信機の電力制御段９４を結合させている。応答信号をスペクトル拡散信号として送信するページャの場合には、制御プロセッサ７２が多数の擬似ランダムコードを格納しており、これらの各コードはユーザがキーパッド８８を打つことによって選択される或る特定の返信を表わす。こうして選択されたコードは送信機９０へと中継されて送信される。オプションとして、送信機９０に電力制御を適用する必要がある場合には、プロセッサ７２によって制御ライン９６を経て電力制御信号を供給する。
本発明をディジタルページングシステムにつき説明したが、本発明は双方向ページング用の規定を有しているセル方式又はコードレスの電話方式に用いることができる。
さらに、アップ−リンクで送信される信号には登録の如きサービスに対する要求も含めることができ、従って本発明は様々なサービスに対する種々の要求を、発信メッセージと突合わせないことを除けば、応答と同じ方法で処理するのに同じように適用することができる。
本発明は上述した例のみに限定されるものでなく、幾多の変更を加え得ることは当業者に明らかである。
産業上の適応性
低電力アンサバックメッセージ送信システム。
【図面の簡単な説明】
図１はメッセージ送信システムの図式ブロック図であり、
図２は一次局によるメッセージ及び肯定応答の送信及びＴＤＭＡ応答の受信を示す線図であり、
図３は送信勧誘信号の送信と、ＣＤＭＡ応答の受信と、応答の分析とを示す線図であり、
図４はシステムのＣＤＭＡ応答タイプのインタレース操作を示す線図であり、
図５Ａ及び図５Ｂは肯定応答をダウン−リンク送信される送信勧誘信号と如何に組合わせるかを示す線図であり、
図６はＰＮＣの図式ブロック図であり、
図７は動作シーケンスを示すフローチャートであり、
図８はページャの図式ブロック図である。
【図１】
0003949170.tif 000002
【図２】
0003949170.tif 000003
【図３】
0003949170.tif 000004
【図４】
0003949170.tif 000005
【図５Ａ】
0003949170.tif 000006
【図５Ｂ】
0003949170.tif 000007
【図６】
0003949170.tif 000008
【図７】
0003949170.tif 000009
【図８】
0003949170.tif 000010